(57)【要約】【課題】加湿するための通風方向の通気性能が良く、かつ、下部から水を吸い上げる吸水性能の優れた加湿フィルターを提供すること目的とする。【解決手段】板状シートに波付シートが重ねられて一体化された通気シート１が複数枚積層され多数の通気貫通路６が一方向に形成される通気シート層２と、通気シート層２内において所定枚数の通気シート１毎に介在させる吸水シート３と、を備えるものである。吸水シート３は、３〜１５枚の通気シート１毎に介在されている。【選択図】    図１
2005083590.tif 000002
【特許請求の範囲】
【請求項１】
板状シート（４）に波付シート（５）が一体化された通気シート（１）が複数枚積層され多数の通気貫通路（６）が一方向に形成される通気シート層（２）と、該通気シート層（２）内において所定枚数の上記通気シート（１）毎に介在させる吸水シート（３）と、を備えることを特徴とする加湿フィルター。
【請求項２】
上記吸水シート（３）は、板状シート（４′）に波付シート（５′）が重ねられて構成され、かつ、上記通気シート層（２）の通気シート（１）の波付方向と、該吸水シート（３）の波付方向が、９０°回転させた異なる向きとされた請求項１記載の加湿フィルター。
【請求項３】
上記吸水シート（３）は、厚さ（ｔ）が２mm〜４mmの不織シート（７）とされた請求項１記載の加湿フィルター。
【請求項４】
上記吸水シート（３）は、３〜１５枚の上記通気シート（１）毎に介在される請求項１，２又は３記載の加湿フィルター。
【発明の詳細な説明】
【技術分野】
【０００１】
本発明は、送風する空気を浄化すると共に、その空気に気化した水分を含ませて加湿させる加湿フィルターに関するものである。
【背景技術】
【０００２】
従来の加湿器は、水をヒータにて沸騰させて水蒸気に変え排出させるものがある。しかし、この加湿器は、ヒータの消費電力が大きく、加湿し過ぎるという問題点がある。
そこで、筐体内にファンと受け皿（タンク）と加湿フィルターとを設け、受け皿に溜めた水を加湿フィルターに吸わせ、又は、上方のタンクから水を滴下させ、ファンによるエアー流によって、気化した水（水蒸気）を排出する加湿器が注目されている。
【０００３】
そして、従来の加湿用のフィルターとしては、図５に示すように、全体が屏風状（ジグザグ折曲形状）とされたものがある（例えば、特許文献１参照）。
しかし、このフィルターは、図５に示すように、エアー流（矢印Ｅ方向）の通過抵抗が大きく、効率よく湿った空気（エアー）を供給させるには不向きである。
【０００４】
また、図６に示すように、板状シート41に波付シート42を重ねて１枚の通気シート43とし、この通気シート43を複数枚積層状として構成したフィルターが考えられる。
このフィルターは、矢印Ｆ方向の通気性は良いが、通気シート43の製作にあたり、波付シート42の谷部と板状シート41とが押圧され、シート41，42が間欠的に潰されて断面が絞られ、さらに、耐水性の接着剤44が介在するため、矢印Ｇ方向の吸水性能（浸透）が非常に悪いという問題点を有している。
【特許文献１】特開２００１−２３５１９３号公報（第７図）
【発明の開示】
【発明が解決しようとする課題】
【０００５】
解決しようとする問題点は、通水性能と吸水性能とを同時に満たすことができない点である。
【課題を解決するための手段】
【０００６】
本発明は、板状シートに波付シートが一体化された通気シートが複数枚積層され多数の通気貫通路が一方向に形成される通気シート層と、該通気シート層内において所定枚数の上記通気シート毎に介在させる吸水シートと、を備えるものである。
また、上記吸水シートは、板状シートに波付シートが重ねられて構成され、かつ、上記通気シート層の通気シートの波付方向と、該吸水シートの波付方向が、９０°回転させた異なる向きとされている。または、上記吸水シートは、厚さが２mm〜４mmの不織シートとされたものである。
また、上記吸水シートは、３〜１５枚の上記通気シート毎に介在されるものである。
【発明の効果】
【０００７】
本発明の加湿フィルターは、通過させる空気を浄化することができると共に、多数の通気貫通路により加湿するための通風方向の通気性能が良く、かつ、吸水シートにより下部から水を吸い上げる吸水性能が優れている。つまり、通気性能と吸水性能との両方を備えた加湿フィルターとすることができる。
また、波付シートを有する通気シートが積層された構造であるため、表面積が大きくなり、保水性能を良くすることができ、加湿効率の良いフィルターとすることができる。
【発明を実施するための最良の形態】
【０００８】
本発明に係る加湿フィルターは、例えば、加湿器やヒータに設けられるものであり、ファン等により発生させるエアー流を加湿フィルターに通過させることで、エアー（空気）内に気化した水分を含ませて、室内等の加湿を行わせるものである。
この加湿フィルターは、例えば、水を溜めた受け皿に加湿フィルターの下部を浸し、浸透現象により、水を下部から上部へと吸水（浸透）させて全体を保湿状態とし、エアーを通過させ加湿を行うものである。
【０００９】
図１は、本発明の加湿フィルターの実施の一形態を示す斜視図であり、図２は、通気シート１の分解斜視図であり、この加湿フィルターは、板状シート４に波付シート５が重ねられて一体化された通気シート１（図２）が複数枚積層され多数の通気貫通路６が一方向に形成される通気シート層２と、通気シート層２内において所定枚数の通気シート１毎に介在させる吸水シート３と、を備えるものである。
なお、加湿フィルターは、図示省略するが、通気方向に大きな開口部を有するフレーム状ケースに収納されて、使用されてもよい。
【００１０】
通気シート１及び吸水シート３は同じ輪郭形状の矩形シートとされるため、これらが積層状とされて加湿フィルターの全体は、立方体形状のブロック体となる。
つまり、加湿フィルターは、複数枚の通気シート１から成る通気シート積層体部９と、吸水シート３と、が積層状に交互に配設されたものである。
【００１１】
通気シート１は、図２に示すように、矩形状の板状シート４の長手方向が波付シート５の波付方向となるよう、板状シート４と波付シート５とが重ねられたものであり、波付シート５の谷部と板状シート４とが接着剤にて結合され１枚の通気シート１とされている。  なお、接着剤は耐水性のものであり、例えば、変性エチレン・酢酸ビニル共重合体を主成分とするもの等がある。
従って、図１のように、複数枚の通気シート１が同一方向に積層されると、１枚の通気シート１においては板状シート４と波付シート５の山部との間、及び、隣り合う通気シート１，１の合わせ面の間においては一方側の波付シート５の谷部と他方の通気シート１の板状シート４との間に、通気貫通路６が多数形成されることとなる。
【００１２】
なお、波付方向とは、凹凸波が連続していく方向であり、図１と図２の通気シート１では上下方向である。従って、通気貫通路６はその直交方向である前後方向に形成されることとなり、その方向が通風方向となる。そして、水を溜める受け皿に加湿フィルターの下部を浸す場合、吸水方向（水の浸透方向）は、上下方向であって、下から上向きとなる。
【００１３】
板状シート４及び波付シート５は、パルプや合成繊維等の吸水性を有することのできる材料にて構成され、例えばレーヨンやコットン等からなる織布又は不織布を素材とし、網状又は小格子状に形成され、図２に示すように小孔部８を多数有するものがある。
また、波付シート５は、平面状シートが凹凸形状に連続して曲げられたものであり、湾曲凹凸波形や角形凹凸波形等がある。なお、上記小孔部８が省略されるも自由である。
【００１４】
図３は、加湿フィルターの要部を説明する斜視図であり、図３の左側２枚は通気シート１，１であり、右側１枚は吸水シート３を表している。吸水シート３は、板状シート４′に波付シート５′が重ねられて構成され、かつ、通気シート層２の通気シート１の波付方向と、吸水シート３の波付方向が、９０°回転させた異なる向きとされている。
吸水シート３の板状シート４′と波付シート５′とは、通気シート１の板状シート４と波付シート５と同じ素材から作成されており、改めて別の部材を不要とし、コストダウンを図っている。
【００１５】
図３の構成によれば、通気シート１による通気貫通路６の方向を通気方向（矢印Ａ）とすることで、通気抵抗が小さくなって通気性を向上させることができ、効率よく加湿が行える。
さらに、吸水シート３は、加湿フィルターの高さ方向に、接着剤や断面縮小による通水抵抗が存在しない連続した浸透路部を有するため、吸水シート３は、通気シート１による吸水を補助し、水を効率よく吸い上げ（高さ方向全体に浸透させ：矢印Ｂ方向）、左右方向隣接する通気シート１へも次々に水を浸透させ、加湿フィルター全体を確実に湿らせることができる。
【００１６】
また、図４は、加湿フィルターの他の実施の形態の要部を説明する斜視図であり、この加湿フィルターは、吸水シート３が、厚さｔが２mm〜４mmの不織シート７とされている。なお、それ以外は、図１、図２、図３と同じである。
この不織シート７は、例えば、レーヨンやコットン等の繊維が絡まってシート状に形成されたもの（不織布）である。この不織シート７の厚さｔが上記範囲を越えると、吸水性が低下し、側方の通気シート積層体部９（図１）全体への水の浸透が行われにくくなる。
【００１７】
また、図３と図４との加湿フィルターにおいて、吸水シート３は、３〜１５枚の通気シート１毎に介在されている。この枚数が下限値未満であると、通気シート１の占有部が小さくなって通気抵抗が過大となり、加湿効率が低下する。また、上限値を越えると、加湿フィルター全体における水の吸い上げ性能が低下し、全体を湿った状態にすることができない。
さらに、好ましくは、８〜１３枚の通気シート１毎に吸水シート３を介在させてもよい。この範囲とすることで、より一層、通気性と吸水性とを向上させることができる。
【００１８】
また、本発明の加湿フィルターは、隣り合う通気シート１，１同志、及び、隣り合う通気シート１と吸水シート３とは、面にて接触状態とされるが接着剤による接着は行われない接触非結合積層構造とされている。
従って、加湿フィルターの形成は、図１に示すように、通気シート層２と吸水シート３とを上下方向から挟む一対の形状保持シート10，10により行われている。つまり、形状保持シート10は、積層状態にある多数の通気シート１の上下両端縁、及び、吸水シート３の上下両端縁と接触して接着剤等にて通気シート１、及び、吸水シート３と結合（接着）しており、一体の加湿フィルターを形成している。なお、接着剤を部分的に用いて、通気シート１，１同志、又は、通気シート１と吸水シート３とを接着して、剛性・強度を向上させるも好ましい。
【００１９】
なお、この形状保持シート10も、板状シート４″に波付シート５″を重ねて構成されており、特に、形状保持シート10の波付方向を通気方向とし、その直交方向である通気シート層２の積層方向（図１の左右方向）への水の浸透を、形状保持シート10が助けている。
また、図１に示すように、加湿フィルターの積層方向両側面は、吸水シート３，３とされている。
【００２０】
次に、本発明の加湿フィルターの吸水性について説明する。表１は、図３のように波付方向が水平方向となるようして、板状シート４′に波付シート５′を重ねた１枚の吸水シート３について、各時間毎の水の吸い上げ高さを測定したものである（実施例）。また、比較例として、吸水シートを、波付方向が高さ方向となるようにして板状シートに波付シートを重ね１枚のシートとした場合の吸い上げ高さを測定した。
なお、試験シートは、いずれも横４０mm×高さ２００mmとしたものである。
【００２１】
さらに、表２は、図１に示した構成の加湿フィルター（実施例）の各時間毎の水の吸い上げ高さを測定したものである。また、比較例として、図１のうち吸水シート３を省略して代わりに通気シート１とした加湿フィルターの吸い上げ高さを測定した。
なお、試験加湿フィルターは、いずれも縦５０mm×横１９６mm×高さ１０６mmであり、合計６７枚のシートを積層したものである。また、本発明の加湿フィルターは、１０枚の通気シート１毎に１枚の吸水シート３を介在させている。
なお、両試験とも水道水に墨汁により着色し、フィルター（シート）の下部を２cm浸した。そして、浸透した水の最低高さを吸い上げ高さとして測定している。
【００２２】
【表１】
2005083590.tif 000003
【００２３】
【表２】
2005083590.tif 000004
【００２４】
以上、表１と表２からわかるように、本発明の構成によれば、短時間で高い位置まで水を浸透させることができる。また、表２によれば、試験片の高さが１０６mmであるのに対し、比較例は浸透水の最高高さは約１８０秒を越えても約７４mmで頭打ちとなり、試験片の上端まで水が浸透しなかった。しかし、実施例のものは、１８０秒を越えて浸透水の吸い上げ高さが試験片の高さである１０６mmに達する。つまり、本発明によれば、極めて良好な吸水性能を発揮させることができ、加湿フィルター全体を湿った状態にすることができる。
【００２５】
以上のように、本発明によれば、板状シート４に波付シート５が一体化された通気シート１が複数枚積層され多数の通気貫通路６が一方向に形成される通気シート層２と、通気シート層２内において所定枚数の通気シート１毎に介在させる吸水シート３と、を備えるため、通過させる空気を浄化することができると共に、多数の通気貫通路６により加湿するための通風方向の通気性能が良く、かつ、吸水シート３により下部から水を吸い上げる吸水性能が優れている。つまり、通気性能と吸水性能との両方を備えた加湿フィルターとすることができる。
さらに、波付シート５を有する通気シート１が積層された構造であるため、表面積が大きくなり、保水性能を良くすることができ、加湿効率の良いフィルターとすることができる。
【００２６】
また、吸水シート３は、板状シート４′に波付シート５′が重ねられて構成され、かつ、通気シート層２の通気シート１の波付方向と、吸水シート３の波付方向が、９０°回転させた異なる向きとされたものであるため、通気シート１と吸水シート３とを同じシート素材から切り出して作製でき（別の素材を用いないため）、コストダウンが図れる。
さらに、高さ方向に接着剤や断面縮小による通水抵抗が存在しないため、吸水性能を十分発揮させることができる。
【００２７】
また、吸水シート３は、厚さｔが２mm〜４mmの不織シート７とされたものであるため、通気性を損なうことなく、より一層吸水性能の良い加湿フィルターを得ることができる。  また、吸水シート３は、３〜１５枚の通気シート１毎に介在されており、通気シート１の占有部が小さくなって通気抵抗が過大となることがなく、優れた加湿効率を発揮できる。また、加湿フィルター全体における吸い上げ率を低下させることがなく、全体を湿った状態にすることができる。
【図面の簡単な説明】
【００２８】
【図１】本発明の加湿フィルターの実施の一形態を示す斜視図である。
【図２】通気シートの分解斜視図である。
【図３】加湿フィルターの要部を説明する斜視図である。
【図４】加湿フィルターの他の実施の形態の要部を説明する斜視図である。
【図５】従来の加湿フィルターの要部を説明する斜視図である。
【図６】従来の加湿フィルターの要部を説明する斜視図である。
【符号の説明】
【００２９】
１  通気シート
２  通気シート層
３  吸水シート
４  板状シート
４′  板状シート
５  波付シート
５′  波付シート
６  通気貫通路
７  不織シート
ｔ  厚さ
【図１】
2005083590.tif 000005
【図２】
2005083590.tif 000006
【図３】
2005083590.tif 000007
【図４】
2005083590.tif 000008
【図５】
2005083590.tif 000009
【図６】
2005083590.tif 000010